(57)【要約】【課題】径方向の摩擦力を生じることができるドラグ機構及びドラグ機構を用いる釣り用リール装置を提供する。【解決手段】第１の軸線Ｌ１に沿って延伸する作動スペース１６１と、第２の軸線Ｌ２に沿って延伸し、作動スペース１６１に連通する案内スペース１４を画成するように形成されたフレーム１０と、作動スペース１６１に位置する内側端部３４とフレーム１０外に露出する外側端面３５とを有する押圧手段３０と、作動スペース１６１に配置され、内側端部３４に当接して押圧手段３０をフレーム１０外へ押す弾力を押圧手段３０に与える弾性手段２０と、案内スペース１４に位置し、内側端部３４に当接する受動端部４１と受動端部４１の反対側である摩擦端面４２と摩擦端面４２に取り付けられている摩擦部５０とを有する移動手段４０と、を備え、内側端部３４と受動端部４１の少なくとも一方に斜面３４１が形成されている。【選択図】図４
2020043853.tif 000002
【特許請求の範囲】
【請求項１】
所定の第１の軸線に沿って延伸する作動スペースと、前記第１の軸線と略直交する第２の軸線に沿って延伸し、且つ前記作動スペースに連通する案内スペースを画成するように形成されたフレームと、
前記作動スペース内に位置する内側端部と、前記フレーム外に露出する外側端面と、前記内側端部と前記外側端面との間にある中間部と、を有すると共に、前記第１の軸線に沿って移動できるように前記フレームに取り付けられている押圧手段と、
前記作動スペース内に配置され、前記押圧手段の前記内側端部に当接して前記押圧手段を前記第１の軸線に沿って前記フレーム外に押し出す弾力を前記押圧手段に与え続ける弾性手段と、
前記案内スペース内に位置し、且つ、前記押圧手段の前記内側端部に当接する受動端部と前記受動端部の反対側である摩擦端面と前記摩擦端面に取り付けられている摩擦部とを有すると共に、前記第２の軸線に沿って移動できるように前記フレームに取り付けられている移動手段と、を備え、
前記押圧手段が前記弾性手段からの弾力に対抗して前記第１の軸線に沿って前記作動スペースの内側へ移動すると、前記内側端部が前記移動手段の前記受動端部を前記第２の軸線に沿って前記フレームの外側に押し動かすことができるよう、前記押圧手段の前記内側端部と前記移動手段の前記受動端部の少なくとも一方に、前記一方以外の他方に当接する斜面が形成されていることを特徴とするドラグ機構。
【請求項２】
前記内側端部は、前記中間部から前記第１の軸線に沿って前記作動スペース内に延伸しながら縮径していくせっ頭円錐状に形成され、該せっ頭円錐状の外周面が前記移動手段の前記受動端部に当接する前記斜面となり、
前記移動手段の前記受動端部には、前記押圧手段の前記内側端部の前記斜面に当接する受動斜面が形成されていることを特徴とする請求項１に記載のドラグ機構。
【請求項３】
前記フレームは、中央に前記作動スペースを囲む円筒状に形成されている上、前記第１の軸線と直交する方向における幅が前記作動スペースより狭い挿入孔が前記作動スペースの隣に形成されており、
前記押圧手段は、前記作動スペース内に位置する前記中間部の幅が前記挿入孔より広く形成されており、更に、前記中間部から前記外側端面まで延伸すると共に、幅が前記挿入孔に対応する延伸部を更に有し、前記内側端部及び前記中間部が前記作動スペース内に位置し、且つ、前記延伸部が前記挿入孔を挿通するように前記フレームに取り付けられていることを特徴とする請求項１又は請求項２に記載のドラグ機構。
【請求項４】
前記フレームは、それぞれ１本の前記第２の軸線に対応する複数の前記案内スペースを画成するように形成されており、
更に、各前記案内スペースにそれぞれ対応する複数の前記移動手段を備え、
各前記移動手段は、いずれも、一端に前記摩擦端面を有し、該一端の反対側に前記受動端部が突起する嵌合ブロックを更に有するように形成されており、
前記フレームの外周面に、各前記案内スペースと連通し、且つ各前記移動手段それぞれが有する前記嵌合ブロックを可動的に受け入れることができる複数の嵌合スロットが形成されていることを特徴とする請求項３に記載のドラグ機構。
【請求項５】
前記フレームの前記押圧手段が取り付けられる側の反対側に、前記作動スペース及び前記案内スペースを覆う蓋手段が取り付けられており、
前記弾性手段は、皿ばねであることを特徴とする請求項１〜請求項４のいずれか１項に記載のドラグ機構。
【請求項６】
リール本体と、前記リール本体に対して回転自在になるように配置されるハンドルを有する駆動ユニットと、前記駆動ユニットと所定の方向にのみ連動して回転する連動軸を有するロータと、前記ロータに連動して前記ロータに対して往復移動する略円筒状のスプールと、を備えたスピニングリール装置において、
前記スプールの内部空間に請求項１〜５のいずれか１項に記載のドラグ機構が配置されており、
前記フレームが前記連動軸と共に回転するように取り付けられ、
前記押圧手段が前記弾性手段からの弾力に対抗して前記第１の軸線に沿って前記作動スペースの内側へ移動すると、前記内側端部が前記移動手段の前記受動端部を前記第２の軸線に沿って前記フレームの外側に押し動かして前記摩擦端面に取り付けられている前記摩擦部を前記スプールの内周面に押し付けて前記連動軸と前記スプールの相対回転を抑えることを特徴とするスピニングリール装置。
【請求項７】
前記スプールには、前記第１の軸線の方向において、前記ドラグ機構の前記フレームに隣接し、且つ、前記押圧手段の反対側にある仕切り板が形成されており、
更に、前記仕切り板の前記フレームに臨む面には摩擦盤が固定され、
前記押圧手段が前記弾性手段からの弾力に対抗して前記第１の軸線に沿って前記作動スペースの内側へ移動してから、前記ドラグ機構を前記摩擦盤及び前記仕切り板側に押し付けることにより、前記ドラグ機構と前記摩擦盤との間に生じる摩擦力により、前記連動軸と前記スプールの相対回転を抑えることを特徴とする請求項６に記載のスピニングリール装置。
【請求項８】
リール本体と、前記リール本体に対して回転自在になるように配置されるハンドルと前記ハンドルに接続する駆動軸と前記駆動軸と連動する皿状の連動手段とを有する駆動ユニットと、前記駆動ユニットの前記連動手段に連動して回転するスプールと、を有する両軸受けリール装置において、
前記連動手段は、前記駆動軸と略直交するように配置される底板と、前記底板の周縁から該底板の一側へ突起する周壁とを有すると共に、前記底板と前記周壁とにより収容空間を画成し、
前記収容空間内に、請求項１〜５のいずれか１項に記載のドラグ機構が配置されており、
前記フレームが前記駆動軸と共に回転するように取り付けられ、
前記押圧手段が前記弾性手段からの弾力に対抗して前記第１の軸線に沿って前記作動スペースの内側へ移動すると、前記内側端部が前記移動手段の前記受動端部を前記第２の軸線に沿って前記フレームの外側に押し動かして前記摩擦端面に取り付けられている前記摩擦部を前記連動手段の前記周壁に押し付けて前記駆動軸と前記連動手段の相対回転を抑えることを特徴とする両軸受けリール装置。
【発明の詳細な説明】
【技術分野】
【０００１】
本発明はドラグ機構に関し、特に釣り用リール装置に用いられるドラグ機構及び該ドラグ機構を用いる釣り用リール装置に関する。
【背景技術】
【０００２】
釣り用リールには、スプール又はスプールと共に回転する回転部材に摩擦力を制動力として付与するドラグ機構が配置されている。従来の釣り用リールのドラグ機構は、例えば特許文献１や特許文献２に記載されるものがあげられる。
【０００３】
上記従来のドラグ機構では、スプール又はスプールと共に回転する回転部材が回転する軸方向に沿って制動板とライニング材を交替的に配置して、制動板とライニング材接触させることにより生じる軸方向における摩擦力を利用してスプールの回転を抑える構成が採用されている。
【先行技術文献】
【特許文献】
【０００４】
【特許文献１】特開第２００１−１４５４４１号公報
【特許文献２】特開第２０１５−２０８２８４号公報
【発明の概要】
【発明が解決しようとする課題】
【０００５】
しかしながら、上記従来のドラグ機構は、スプールが回転する軸方向の摩擦力しか生じないので、スプールの回転を抑える制動効果には改善する余地がある。そこで、本発明は、スプールが回転する軸方向に限らず、該軸方向と直交する径方向からも制動力を与えることにより、スプール又はスプールと共に回転する回転部材の回転を抑えることができるドラグ機構、及びドラグ機構を用いる釣り用リール装置（スピニングリール装置、両軸受けリール装置）を提供することを主な目的とする。
【課題を解決するための手段】
【０００６】
前記目的を達成するための手段として、本発明は、以下のドラグ機構、該ドラグ機構を用いるスピニングリール装置、及び該ドラグ機構を用いる両軸受けリール装置を提供する。
【０００７】
ドラグ機構は、
所定の第１の軸線に沿って延伸する作動スペースと、前記第１の軸線と略直交する第２の軸線に沿って延伸し、且つ前記作動スペースに連通する案内スペースを画成するように形成されたフレームと、前記作動スペース内に位置する内側端部と、前記フレーム外に露出する外側端面と、前記内側端部と前記外側端面との間にある中間部と、を有すると共に、前記第１の軸線に沿って移動できるように前記フレームに取り付けられている押圧手段と、前記作動スペース内に配置され、前記押圧手段の前記内側端部に当接して前記押圧手段を前記第１の軸線に沿って前記フレーム外に押し出す弾力を前記押圧手段に与え続ける弾性手段と、前記案内スペース内に位置し、且つ、前記押圧手段の前記内側端部に当接する受動端部と前記受動端部の反対側である摩擦端面と前記摩擦端面に取り付けられている摩擦部とを有すると共に、前記第２の軸線に沿って移動できるように前記フレームに取り付けられている移動手段と、を備え、前記押圧手段が前記弾性手段からの弾力に対抗して前記第１の軸線に沿っての前記作動スペースの内側へ移動すると、前記内側端部が前記移動手段の前記受動端部を第２の軸線に沿って前記フレームの外側に押し動かすことができるよう、前記押圧手段の前記内側端部と前記移動手段の前記受動端部の少なくとも一方に、前記一方以外の他方に当接する斜面が形成されていることを特徴とする。
【０００８】
スピニングリール装置は、
リール本体と、前記リール本体に対して回転自在になるように配置されるハンドルを有する駆動ユニットと、前記駆動ユニットと所定の方向にのみ連動して回転する連動軸を有するロータと、前記ロータに連動して前記ロータに対して往復移動する略円筒状のスプールと、を備え、前記スプールの内部空間に前記ドラグ機構が配置されており、前記フレームが前記連動軸と共に回転するように取り付けられ、前記押圧手段が前記弾性手段からの弾力に対抗して前記第１の軸線に沿って前記作動スペースの内側へ移動すると、前記内側端部が前記移動手段の前記受動端部を前記第２の軸線に沿って前記フレームの外側に押し動かして前記摩擦端面に取り付けられている前記摩擦部を前記スプールの内周面に押し付けて前記連動軸と前記スプールの相対回転を抑えることを特徴とする。
【０００９】
両軸受けリール装置は、
リール本体と、前記リール本体に対して回転自在になるように配置されるハンドルと前記ハンドルに接続する駆動軸と前記駆動軸と連動する皿状の連動手段を有する駆動ユニットと、前記駆動ユニットの前記連動手段に連動して回転するスプールと、を有し、前記連動手段は、前記駆動軸と略直交するように配置される底板と、前記底板の周縁から該底板の一側へ突起する周壁とを有すると共に、前記底板と前記周壁とにより収容空間を画成し、前記収容空間内に、前記ドラグ機構が配置されており、前記フレームが前記駆動軸と共に回転するように取り付けられ、前記押圧手段が前記弾性手段からの弾力に対抗して前記第１の軸線に沿っての前記作動スペースの内側へ移動すると、前記内側端部が前記移動手段の前記受動端部を前記第２の軸線に沿って前記フレームの外側に押し動かして前記摩擦端面に取り付けられている前記摩擦部を前記連動手段の前記周壁に押し付けて前記駆動軸と前記連動手段の相対回転を抑えることを特徴とする。
【発明の効果】
【００１０】
上記構成によれば、本発明のドラグ機構が作動すると、前記押圧手段が前記弾性手段からの弾力に対抗して前記第１の軸線に沿って前記作動スペースの内側へ移動して、前記押圧手段が前記移動手段を前記第２の軸線に沿って前記フレームの外側に押し動かすことによって、前記摩擦端面に取り付けられている前記摩擦部をスプール又はスプールと連動して共に回転する連動手段に押し付けて径方向の摩擦力が生じるため、スプール又はスプールと共に回転する回転部材の回転を抑えることができる。
【００１１】
即ち、本発明のドラグ機構は、スプールが回転する第１の軸線の方向における制動力だけでなく、第１の軸線と略直交する第２の軸線に沿って移動する移動手段の摩擦端面に取り付けられる摩擦部がスプールの内周面または連動手段の周壁に接触することにより生じる第２の軸線の方向における制動力を利用して、従来よりも良好な制動効果を提供することができる。
【図面の簡単な説明】
【００１２】
【図１】本発明に係るドラグ機構を用いる釣り用リール装置の第１の実施形態（スピニングリール装置）を示す組立斜視図である。
【図２】前記第１の実施形態を示す組立断面図である。
【図３】前記第１の実施形態のドラグ機構を示す組立斜視図である。
【図４】前記第１の実施形態のドラグ機構の斜視分解図である。
【図５】前記第１の実施形態のドラグ機構の断面図である。
【図６】本発明に係るドラグ機構を用いる釣り用リール装置の第２の実施形態（両軸受けリール装置）を示す組立斜視図である。
【図７】前記第２の実施形態を示す組立断面図である。
【図８】図７の一部の拡大図である。
【発明を実施するための形態】
【００１３】
以下、図面を参照しながら本発明の具体的な実施形態を説明する。
【００１４】
図１〜図５に、本発明に係るドラグ機構５を用いる釣り用リール装置の第１の実施形態が示されている。図１と図２のように、この第１の実施形態は、リール本体１と、リール本体１に対して回転自在になるように配置されるハンドル２０１を有する駆動ユニット２と、駆動ユニット２と所定の方向にのみ連動して回転する連動軸４０３を有するロータ３と、ロータ３に連動してロータ３に対して往復移動する略円筒状のスプール４と、を備えたスピニングリール装置である。前記スピニングリール装置の作動原理は従来（例えば特開第２００１−１４５４４１号明細書に開示のもの）と同じものなので、ここでは詳しい説明を省略する。以下、本発明に係るドラグ機構５及びスプール４について詳しく説明する。
【００１５】
スプール４は、中空の略円筒状であり、所定の第１の軸線Ｌ１に沿って延伸する筒体４０１と、筒体４０１に配置されるドラグ調整手段４０２と、第１の軸線Ｌ１に沿って筒体４０１とドラグ調整手段４０２を貫通する連動軸４０３と、を備える。
【００１６】
筒体４０１は、第１の軸線Ｌ１を周る糸巻胴部４０４と、第１の軸線Ｌ１と直交し、糸巻胴部４０４と接続する仕切り板４０５と、糸巻胴部４０４と仕切り板４０５により画成する収容空間４０６と、を有する。仕切り板４０５には、収容空間４０６と連通し、連動軸４０３に貫通される軸孔４０７が形成される。また、ドラグ調整手段４０２は第１の軸線Ｌ１に沿って収容空間４０６の外側に位置し、且つ、連動軸４０３にねじ山で係合されている。また、スプール４には、筒体４０１に嵌め込まれ、収容空間４０６の先端に配置される定位環４０９を更に有する。
【００１７】
ドラグ機構５は、スプール４の収容空間４０６に配置され、定位環４０９により収容空間４０６から離脱することが防止される。
【００１８】
図３〜図５に示されるように、ドラグ機構５は、フレーム１０と、第１の軸線Ｌ１に沿って移動できるようにフレーム１０に取り付けられている押圧手段３０と、フレーム１０に取り付けられて、押圧手段３０を第１の軸線Ｌ１に沿ってフレーム１０の外側に押し出す弾力を押圧手段３０に与え続ける弾性手段２０と、第１の軸線Ｌ１と略直交する複数の第２の軸線Ｌ２にそれぞれ対応して該１本の第２の軸線に沿って移動できるようにフレーム１０に取り付けられている複数の移動手段４０と、を備える。
【００１９】
フレーム１０は、第１の軸線Ｌ１に沿って延伸する作動スペース１６１と、それぞれ１本の第２の軸線Ｌ２に対応して、該１本の第２の軸線Ｌ２に沿って延伸し、且つ作動スペース１６１に連通する複数の案内スペース１４を画成するように形成される。また、フレーム１０は、中央に作動スペース１６１を囲む円筒状に形成されている上、第１の軸線Ｌ１と直交する方向における幅が作動スペース１６１より狭い挿入孔１６２が作動スペース１６１の隣に形成されて、作動スペース１６１と挿入孔１６２との間に係止面１６３を更に有する。
【００２０】
また、フレーム１０の押圧手段３０が取り付けられる側の反対側に、作動スペース１６１及び各案内スペース１４を覆う蓋手段１２が取り付けられている。蓋手段１２には、連動軸４０３と互いに回転しないように、作動スペース１６１に連通する非円形の係合孔１２１が形成されることによって、フレーム１０と蓋手段１２が連動軸４０３に対して回転不可能に係合される。つまり、ドラグ機構５が連動軸４０３と共に回転するように取り付けられている。
【００２１】
また、フレーム１０の外周面１５には、各案内スペース１４と連通し、且つ各移動手段４０に対応して、該移動手段４０を可動的に受け入れることができる複数の嵌合スロット１５１が形成されている。
【００２２】
弾性手段２０は、作動スペース１６１内に配置される。この第１の実施形態において、弾性手段２０は、皿ばねを用いるが、例えば圧縮ばねといった他の弾性手段を用いることも可能である。
【００２３】
押圧手段３０は、内側端部３４とフレーム１０外に露出する外側端面３５とを有する。また、押圧手段３０は、内側端部３４と外側端面３５との間に幅が挿入孔１６２より広く形成されている中間部３３と、中間部３３から外側端面３５まで延伸すると共に、幅が挿入孔１６２に対応する延伸部３２と、を更に有する。また、押圧手段３０は、内側端部３４及び中間部３３が作動スペース１６１内に位置し、且つ、延伸部３２が挿入孔１６２を挿通するようにフレーム１０に取り付けられている。
【００２４】
また、内側端部３４は、中間部３３から第１の軸線Ｌ１に沿って作動スペース１６１内に延伸しながら縮径していくせっ頭円錐状に形成され、該せっ頭円錐状の外周面が移動手段４０に当接する斜面３４１となる。
【００２５】
なお、押圧手段３０の中間部３３の幅がフレーム１０の挿入孔１６２より広いため、中間部３３がフレーム１０の係止面１６３に係止されて、押圧手段３０がフレーム１０から離脱することを防止することができる。
【００２６】
各移動手段４０は、いずれも、対応する案内スペース１４内に位置し、押圧手段３０の内側端部３４に当接する受動端部４１と、受動端部４１の反対側である摩擦端面４２と、摩擦端面４２の反対側に受動端部４１が突起し、案内スペース１４に沿って移動できるように形成されている嵌合ブロック４３と、摩擦端面４２に取り付けられている摩擦部５０と、を有する。
【００２７】
移動手段４０の受動端部４１には、押圧手段３０の内側端部３４の斜面３４１に当接する受動斜面４１１が形成されている。
【００２８】
また、摩擦端面４２は、案内スペース１４より幅が広いように形成されている。嵌合スロット１５１と当接する当接面４４により移動手段４０が案内スペース１４へ落下せず嵌合スロット１５１に保持される。
【００２９】
また、図１と図２に示されるように、フレーム１０外に露出する外側端面３５はドラグ調整手段４０２に当接する。ドラグ調整手段４０２が従来のように連動軸４０３にねじ山で係合されるため、使用者がドラグ調整手段４０２を所定の方向へ回せば、ドラグ調整手段４０２が押圧手段３０に対して第１の軸線Ｌ１に沿って作動スペース１６１の内側へ移動する方向の力を作用し、押圧手段３０を弾性手段２０からの弾力に対抗して第１の軸線Ｌ１に沿って作動スペース１６１の内側へ移動させ、内側端部３４の斜面３４１が移動手段４０の受動端部４１を第２の軸線Ｌ２に沿ってフレーム１０の外側に押し動かす。つまり、摩擦端面４２に取り付けられている摩擦部５０をスプール４の糸巻胴部４０４に押し付けて径方向の摩擦力が生じることで、連動軸４０３とスプール４の相対回転を抑える径方向での制動力を提供することができる。
【００３０】
また、この第１の実施形態において、仕切り板４０５と蓋手段１２との間には摩擦盤４０８が固定され、押圧手段３０が弾性手段２０からの弾力に対抗して第１の軸線Ｌ１に沿って作動スペース１６１の内側へ移動してから、蓋手段１２を摩擦盤４０８及び仕切り板４０５側に押し付けて、蓋手段１２と摩擦盤４０８との間に軸方向の摩擦力が生じることで、連動軸４０３とスプール４の相対回転を抑える軸方向での制動力をも提供することができる。
【００３１】
使用者がドラグ調整手段４０２を逆の方向へ回せば、押圧手段３０をフレーム１０側へ動かす力が働かないので、押圧手段３０は弾性手段２０からの弾力により第１の軸線Ｌ１に沿って作動スペース１６１の外側へ移動され、摩擦端面４２に取り付けられている摩擦部５０がスプール４の糸巻胴部４０４に押し付けられなくなると共に、蓋手段１２が摩擦盤４０８に押し付けられなくなることで、摩擦力が生じないので、連動軸４０３とスプール４の相対回転が干渉されずにスムーズに回転できる状態になる。
【００３２】
図６〜図８に、本発明に係るドラグ機構５を用いる釣り用リール装置の第２の実施形態が示されている。図６〜図８のように、この第２の実施形態は、リール本体１’と、リール本体１’に対して回転自在になるように配置されるハンドル２０１’ とハンドル２０１’に接続する駆動軸２０２’と駆動軸２０２’と連動する皿状の連動手段２０３’とを有する駆動ユニット２’と、駆動ユニット２’の連動手段２０３’に連動して回転するスプール４’と、駆動軸２０２’に貫通されるように配置されるドラグ調整手段４０２と、下述する連動手段２０３’の収容空間４０６’に設けられるドラグ機構５とを有する両軸受けリール装置である。前記両軸受けリール装置の作動原理は従来（例えば特開第２０１５−２０８２８４号明細書に開示のもの）と同じものなので、ここでは詳しい説明を省略する。
【００３３】
前記両軸受けリール装置において、連動手段２０３’は、駆動軸２０２’と略直交するように配置する底板２０３１と、底板２０３１の周縁から該底板２０３１の一側へ突起する周壁２０３２とを有すると共に、これら底板２０３１と周壁２０３２とにより収容空間４０６’を画成する。
【００３４】
ドラグ機構５は、前記駆動軸２０２’と共に回転するように収容空間４０６’に取り付けられる。
【００３５】
ドラグ調整手段４０２が従来のように駆動軸２０２’にねじ山で係合されるため、使用者がドラグ調整手段４０２を所定の方向へ回せば、ドラグ調整手段４０２が押圧手段３０に第１の軸線Ｌ１に沿って作動スペース１６１の内側へ移動する方向の力を作用すると共に、押圧手段３０が弾性手段２０からの弾力に対抗して第１の軸線Ｌ１に沿っての作動スペース１６１の内側へ移動すると、内側端部３４が移動手段４０の受動端部４１を第２の軸線に沿ってフレーム１０の外側に押し動かして摩擦端面４２に取り付けられている摩擦部５０を連動手段２０３’の周壁２０３２に押し付けて径方向の摩擦力が生じることで、駆動軸２０２’と連動手段２０３’の相対回転を抑える径方向での制動力を提供することができる。
【産業上の利用可能性】
【００３６】
本発明に係るドラグ機構及び該ドラグ機構を用いる釣り用リール装置は、ドラグ機構を用いるリールに対する様々な応用が可能である。
【符号の説明】
【００３７】
１     リール本体
１０   フレーム
１２   蓋手段
１２１ 係合孔
１４   案内スペース
１５   外周面
１５１        嵌合スロット
１６１ 作動スペース
１６２ 挿入孔
１６３ 係止面
２     駆動ユニット
２０１ ハンドル
２０   弾性手段
３     ロータ
３０   押圧手段
３２   延伸部
３３   中間部
３４   内側端部
３４１ 斜面
３５   外側端面
４     スプール
４０１ 筒体
４０２ ドラグ調整手段
４０３ 連動軸
４０４ 糸巻胴部
４０５ 仕切り板
４０６ 収容空間
４０７ 軸孔
４０８ 摩擦盤
４０９ 定位環
４０   移動手段
４１   受動端部
４１１ 受動斜面
４２   摩擦端面
４３   嵌合ブロック
４４   当接面
５     ドラグ機構
５０   摩擦部
１’   リール本体
２’   駆動ユニット
２０１’      ハンドル
２０２’      駆動軸
２０３’      連動手段
２０３１      底板
２０３２      周壁
４’   スプール
４０６’      収容空間
【図１】
2020043853.tif 000003
【図２】
2020043853.tif 000004
【図３】
2020043853.tif 000005
【図４】
2020043853.tif 000006
【図５】
2020043853.tif 000007
【図６】
2020043853.tif 000008
【図７】
2020043853.tif 000009
【図８】
2020043853.tif 000010